(57)【要約】【課題】本発明は、照明装置に関し、容易に音声再生機能を追加できる照明装置を得ることを目的とする。【解決手段】本発明に係る照明装置は、光源と、スイッチング素子のオンオフにより光源を点灯させる第１電源部と、音声データをオーディオ信号に変換する再生部と、再生部を動作させる第２電源部と、オーディオ信号に応じて音声を発する音声出力部と、を備える。本発明に係る照明装置は、光源と、スイッチング素子のオンオフにより光源を点灯させる第１電源部と、音声データをオーディオ信号に変換する再生部と、オーディオ信号に応じて音声を発する第１音声出力部と、オーディオ信号に応じて音声を発する第２音声出力部と、光源を覆い、光源が発する光を透過させるカバーと、を備え、第１音声出力部は、カバーの長手方向の一端に設けられ、第２音声出力部は、カバーの長手方向の他端に設けられる。【選択図】図１
2019140084.tif 000002
【特許請求の範囲】
【請求項１】
光源と、
スイッチング素子のオンオフにより前記光源を点灯させる第１電源部と、
音声データをオーディオ信号に変換する再生部と、
前記再生部を動作させる第２電源部と、
前記オーディオ信号に応じて音声を発する音声出力部と、
を備えることを特徴とする照明装置。
【請求項２】
前記光源を覆い、前記光源が発する光を透過させるカバーをさらに備え、
前記音声出力部は、前記オーディオ信号に応じて振動する圧電素子を備え、前記カバーの内側の面に設けられることを特徴とする請求項１に記載の照明装置。
【請求項３】
前記音声出力部は、スピーカーを備えることを特徴とする請求項１に記載の照明装置。
【請求項４】
前記光源を覆い、前記光源が発する光を透過させるカバーをさらに備え、
前記音声出力部は、第１音声出力部と、第２音声出力部と、を含み、
前記第１音声出力部は、前記カバーの長手方向の一端に設けられ、
前記第２音声出力部は、前記カバーの長手方向の他端に設けられることを特徴とする請求項１から３の何れか１項に記載の照明装置。
【請求項５】
前記第１音声出力部は、前記カバーの短手方向の両側の側面のうち一方に設けられ、
前記第２音声出力部は、前記カバーの短手方向の前記両側の側面のうち他方に設けられることを特徴とする請求項４に記載の照明装置。
【請求項６】
前記第２電源部は前記第１電源部から電力を供給され動作することを特徴とする請求項１から５の何れか１項に記載の照明装置。
【請求項７】
前記第１電源部と、第１端子部と、を備える第１ユニットと、
前記再生部と、前記第２電源部と、第２端子部と、を備える第２ユニットと、
を備え、
前記第１ユニットは、前記第１端子部と前記第２端子部を介して、前記第２ユニットと接続されることを特徴とする請求項１から６の何れか１項に記載の照明装置。
【請求項８】
上面に前記第１ユニットと前記第２ユニットが設けられ、裏面に前記光源が設けられた搭載板をさらに備えることを特徴とする請求項７に記載の照明装置。
【請求項９】
前記第１端子部と前記第２端子部の各々は通信端子を備え、
前記第１ユニットは前記通信端子によって前記第２ユニットと通信することを特徴とする請求項７または８の何れか１項に記載の照明装置。
【請求項１０】
前記第１ユニットからの信号により前記第２ユニットは音声再生を開始または停止することを特徴とする請求項９に記載の照明装置。
【請求項１１】
前記第２ユニットからの信号により前記第１ユニットは前記光源の明るさを変更することを特徴とする請求項９または１０に記載の照明装置。
【請求項１２】
光源と、
スイッチング素子のオンオフにより前記光源を点灯させる第１電源部と、
音声データをオーディオ信号に変換する再生部と、
前記オーディオ信号に応じて音声を発する第１音声出力部と、
前記オーディオ信号に応じて音声を発する第２音声出力部と、
前記光源を覆い、前記光源が発する光を透過させるカバーと、
を備え、
前記第１音声出力部は、前記カバーの長手方向の一端に設けられ、
前記第２音声出力部は、前記カバーの長手方向の他端に設けられることを特徴とする照明装置。
【請求項１３】
前記第１音声出力部は、前記カバーの短手方向の両側の側面のうち一方に設けられ、
前記第２音声出力部は、前記カバーの短手方向の前記両側の側面のうち他方に設けられることを特徴とする請求項１２に記載の照明装置。
【請求項１４】
前記カバーは略長方形であることを特徴とする請求項１２または１３に記載の照明装置。
【請求項１５】
前記オーディオ信号は２つのステレオ信号を含み、
前記第１音声出力部には、前記２つのステレオ信号の一方が入力され、
前記第２音声出力部には、前記２つのステレオ信号の他方が入力されることを特徴とする請求項１２から１４の何れか１項に記載の照明装置。
【発明の詳細な説明】
【技術分野】
【０００１】
本発明は、照明装置に関する。
【背景技術】
【０００２】
特許文献１には、音声出力機能を備えた照明装置が開示されている。この照明装置では、球状の筐体部の内部にランプが配設されている。筐体部には、アクチュエータが取り付けられる。アクチュエータには音声信号が供給される。この音声信号に応じてアクチュエータは振動する。アクチュエータの振動に応じて筐体部が振動し、音声が再生される。ランプに対して背面側にアクチュエータが取り付けられることで、アクチュエータを目立たなくすることができる。
【先行技術文献】
【特許文献】
【０００３】
【特許文献１】特許第６２３７７６８号公報
【発明の概要】
【発明が解決しようとする課題】
【０００４】
一般に、天井から音声を出力することで、音声出力装置が設けられた空間の全域に音声を広げ易くなる。このため、天井に音声出力装置を設けることは、立地的に有利である。ここで、一般に、照明装置は使用者の上方から明かりを提供し、部屋の天井面に位置している。このため、照明装置がオーディオ機能を有することで、音声を天井から提供することが可能となる。よって、照明装置から音声を再生することで、別の音声再生装置の設置が不要となり、効率が良い。
【０００５】
ここで、照明装置のうち器具筐体の半分が天井に埋め込まれる構造、または照明装置と天井との隙間が狭い構造が考えられる。このような構造において、照明装置にアクチュエータまたはスピーカー等の音声源を設けることを考える。天井面に対して光の出射方向と反対側に音声源が設けられると、音声が光の出射方向に出難くなる可能性がある。
【０００６】
また、照明装置における音声源の位置または照明笠の構造によっては、音声の出力方向が下方向等の特定方向に制限される可能性がある。この場合、照明装置の直下にいる看者には音声が聞こえるものの、照明器具から離れた看者には音声が聞こえない可能性がある。また、音声を特定方向以外にも拡散させるために、スピーカーの配置などを調整すると、スピーカーが光を遮り、光の照射エリアが制限される可能性がある。
【０００７】
また、特許文献１では、共通の基板部からランプへの電力供給およびアクチュエータへの音声信号の供給が行われる。この場合、照明装置を製造するために、専用の基板部を準備する必要があり、製造コストが高くなる可能性がある。
【０００８】
また、ステレオ信号を出力する場合、一般に、Ｌ信号とＲ信号の出力部を一定の距離だけ離して配置することが望ましい。特許文献１では球体の照明装置が想定されており、アクチュエータ同士の距離を確保することが難しい可能性がある。また、球体の筐体部の内部において、スピーカー、アクチュエータ、ランプ等の配置を調整する必要があり、照明装置の構造が複雑になる可能性がある。
【０００９】
本発明は、上述の課題を解決するためになされたもので、容易に音声再生機能を追加できる照明装置を得ることを目的とする。
【課題を解決するための手段】
【００１０】
本発明に係る照明装置は、光源と、スイッチング素子のオンオフにより該光源を点灯させる第１電源部と、音声データをオーディオ信号に変換する再生部と、該再生部を動作させる第２電源部と、該オーディオ信号に応じて音声を発する音声出力部と、を備える。
【００１１】
本発明に係る照明装置は、光源と、スイッチング素子のオンオフにより該光源を点灯させる第１電源部と、音声データをオーディオ信号に変換する再生部と、該オーディオ信号に応じて音声を発する第１音声出力部と、該オーディオ信号に応じて音声を発する第２音声出力部と、該光源を覆い、該光源が発する光を透過させるカバーと、を備え、該第１音声出力部は、該カバーの長手方向の一端に設けられ、該第２音声出力部は、該カバーの長手方向の他端に設けられる。
【発明の効果】
【００１２】
本発明に係る照明装置では、光源を点灯させる第１電源部と、再生部を動作させる第２電源部とが別個に設けられる。このため、第１電源部に第２電源部を追加することで、容易に光源の点灯と音声再生のための電源回路を構成できる。従って、容易に音声再生機能を追加できる。
【００１３】
本発明に係る照明装置では、カバーの長手方向の両端に音声出力部が設けられる。このため、音声出力部を設けるために光源等の配置が妨げられることを防止できる。よって、カバーの内側において光源等の配置を調整する必要が生じることを防止でき、容易に音声再生機能を追加できる。
【図面の簡単な説明】
【００１４】
【図１】実施の形態１に係る照明装置の回路ブロック図である。
【図２】実施の形態１に係る照明装置の斜視図である。
【図３】実施の形態１に係る照明装置の断面図である。
【図４】実施の形態１に係るカバーの斜視図である。
【図５】実施の形態１の第１の変形例に係るカバーの斜視図である。
【図６】実施の形態１の第２の変形例に係る照明装置の断面図である。
【図７】実施の形態１の第３の変形例に係る照明装置の斜視図である。
【図８】実施の形態２に係る照明装置の断面図である。
【図９】実施の形態２に係るカバーの斜視図である。
【図１０】実施の形態２に係るカバーの平面図である。
【発明を実施するための形態】
【００１５】
本発明の実施の形態に係る照明装置について図面を参照して説明する。同じ又は対応する構成要素には同じ符号を付し、説明の繰り返しを省略する場合がある。
【００１６】
実施の形態１．
図１は、実施の形態１に係る照明装置１００の回路ブロック図である。照明装置１００は、第１ユニット４０、第２ユニット６０およびＬＥＤ光源部８０を備える。第１ユニット４０は、光源８１を点灯させる点灯装置である。
【００１７】
第１ユニット４０は、外部電源ＡＣに接続された端子部ＣＮ１を備える。外部電源ＡＣは例えば商用電源である。また、第１ユニット４０は、ＬＥＤ光源部８０に接続された端子部ＣＮ２を備える。ＬＥＤ光源部８０は、直列接続された複数の光源８１を備える。光源８１は例えばＬＥＤである。ＬＥＤ光源部８０が有する光源８１の数は１つ以上であれば良い。また、複数の光源８１は、並列または直並列に接続されても良い。また、第１ユニット４０は、第２ユニット６０が接続された第１端子部ＣＮ３を備える。
【００１８】
第１ユニット４０は第１電源部４１を備える。第１電源部４１は、端子部ＣＮ１に接続された整流器ＤＢを備える。整流器ＤＢは外部電源ＡＣを整流する。整流器ＤＢの高電位側の出力には、コイルＬ１の一端が接続される。コイルＬ１の他端は、ダイオードＤ１のアノードとスイッチング素子Ｑ１のドレインに接続される。スイッチング素子Ｑ１は、例えばＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。スイッチング素子Ｑ１のソースは整流器ＤＢの低電位側の出力に接続される。スイッチング素子Ｑ１のゲートは、ＭＯＳＦＥＴドライバー４４に接続される。
【００１９】
ダイオードＤ１のカソードはコンデンサＣ１の正極に接続される。コンデンサＣ１の負極は、整流器ＤＢの低電位側の出力に接続される。以上から、第１電源部４１は、整流器ＤＢの出力に接続された昇圧チョッパ回路を備える。昇圧チョッパ回路は、コイルＬ１、スイッチング素子Ｑ１、ダイオードＤ１で構成される。昇圧チョッパ回路において、整流器ＤＢで整流された脈流電圧がコンデンサＣ１に予め定められた直流高電圧として充電される。
【００２０】
コンデンサＣ１と並列に、抵抗Ｒ２、Ｒ３の直列回路が接続される。抵抗Ｒ２、Ｒ３の接続点は、制御部ＩＣ１のＰ１端子に接続される。抵抗Ｒ２、Ｒ３により、コンデンサＣ１の両端に印加される直流高電圧が抵抗分圧され、制御部ＩＣ１のＰ１端子に入力される。
【００２１】
制御部ＩＣ１は、コンデンサＣ１に充電されている電圧を目標電圧に一致させるように、Ｖｇ１端子からスイッチング素子Ｑ１を動作させるスイッチング信号を出力する。すなわち、制御部ＩＣ１は、Ｐ１端子の電圧が一定電圧になるように、スイッチング信号を出力する。
【００２２】
制御部ＩＣ１は例えばマイコンである。一般に、マイコンの動作電圧はＭＯＳＦＥＴの駆動電圧よりも小さい。このため、スイッチング信号はＶｇ１端子から一旦ＭＯＳＦＥＴドライバー４４に入力される。ＭＯＳＦＥＴドライバー４４は、スイッチング信号に応じて、スイッチング素子Ｑ１をスイッチングする。これにより、スイッチング素子Ｑ１を安定してスイッチングできる。
【００２３】
コンデンサＣ１の正極には、スイッチング素子Ｑ２のドレインが接続される。スイッチング素子Ｑ２のソースには、ダイオードＤ２のカソードとコイルＬ２の一端が接続される。スイッチング素子Ｑ２のゲートはＭＯＳＦＥＴドライバー４４に接続される。ダイオードＤ２のアノードはコンデンサＣ１の負極と接続される。コイルＬ２の他端はコンデンサＣ３の正極と接続される。コンデンサＣ３の負極は、抵抗Ｒ４の一端に接続される。抵抗Ｒ４の他端は制御部ＩＣ１の接地用端子ＧＮＤ１とコンデンサＣ１の負極に接続される。
【００２４】
第１電源部４１は、コンデンサＣ１に接続されたバックコンバータ回路を備える。バックコンバータ回路は、スイッチング素子Ｑ２、コイルＬ２、ダイオードＤ２から構成される点灯回路である。コンデンサＣ３には、バックコンバータ回路が出力する高周波電圧を平滑した電圧が印加される。
【００２５】
コンデンサＣ３には、端子部ＣＮ２を介してＬＥＤ光源部８０が接続される。コンデンサＣ３の両端に印加される電圧は、光源８１に供給され、光源８１を点灯させる。光源８１が点灯することで流れた電流は、抵抗Ｒ４で電圧に変換される。抵抗Ｒ４の一端は、制御部ＩＣ１のＰ３端子に接続される。抵抗Ｒ４に印加される電圧は制御部ＩＣ１のＰ３端子に入力される。
【００２６】
制御部ＩＣ１は、Ｖｇ２端子からスイッチング素子Ｑ２を動作させるスイッチング信号を出力する。制御部ＩＣ１は、Ｐ３端子の電圧が目標値と一致するようにスイッチング信号を出力する。よって、光源８１は定電流制御で点灯する。制御部ＩＣ１のＶｇ２端子からのスイッチング信号は、昇圧チョッパ回路と同様に、ＭＯＳＦＥＴドライバー４４を介して、スイッチング素子Ｑ２を安定にスイッチングする。
【００２７】
以上から、第１電源部４１はスイッチング素子Ｑ１、Ｑ２のオンオフにより光源８１を点灯させる。制御部ＩＣ１は、外部電源ＡＣから得られる電力を光源８１が点灯するための電力に変換する制御を行う点灯制御部である。
【００２８】
コンデンサＣ１の正極には、制御電源部４２が接続される。制御電源部４２は、コンデンサＣ１に蓄えられた電荷から制御電源Ｖ１を電圧生成する。制御電源部４２の出力とコンデンサＣ１の負極との間には、コンデンサＣ２が接続される。制御電源部４２の出力電圧は、コンデンサＣ２で平滑される。
【００２９】
制御電源Ｖ１の電圧は、例えば１５Ｖである。制御電源Ｖ１には降圧回路部４３が接続される。降圧回路部４３は、制御電源Ｖ１の電圧を降圧する。降圧回路部４３の出力電圧は、制御部ＩＣ１のＶＤＤ１端子に入力される。つまり、制御電源Ｖ１は制御部ＩＣ１の制御電源となる。ＶＤＤ１端子の電圧は例えば５Ｖである。また、制御電源Ｖ１は、ＭＯＳＦＥＴドライバー４４に供給され、ＭＯＳＦＥＴドライバー４４を動作させる。
【００３０】
制御電源部４２は、バックコンバータ回路などの降圧コンバータ回路でも構わないし、フライバック回路などの昇降圧コンバータでも構わない。
【００３１】
第１端子部ＣＮ３は、制御電源Ｖ１に接続され制御電源Ｖ１の電圧に等しい電源端子を有する。また、第１端子部ＣＮ３は、制御部ＩＣ１のＲＸ１端子に接続されたｉｎｐｕｔ端子と、ＴＸ１端子に接続されたｏｕｔｐｕｔ端子を有する。さらに、第１端子部ＣＮ３は、回路基準電位となる接地用端子に接続されたＧＮＤ端子を有する。ｉｎｐｕｔ端子とｏｕｔｐｕｔ端子は、第１端子部ＣＮ３の通信端子である。
【００３２】
次に、第２ユニット６０について説明する。第２ユニット６０は、制御部ＩＣ２と、第２電源部６１と、第２端子部ＣＮ４と、端子部ＣＮ５を備える。第２ユニット６０は、第１端子部ＣＮ３と第２端子部ＣＮ４を介して、第１ユニット４０と接続される。第２端子部ＣＮ４は第１端子部ＣＮ３と対応した端子を有する。つまり、第２端子部ＣＮ４は、電源端子、ｉｎｐｕｔ端子、ｏｕｔｐｕｔ端子およびＧＮＤ端子を有する。
【００３３】
第２端子部ＣＮ４の電源端子は、第１端子部ＣＮ３の電源端子と第２電源部６１とを接続する。第２電源部６１は第１電源部４１から電力を供給され動作する。第２電源部６１は、第１電源部４１から供給される電力を一定の直流電圧に変換する。第２電源部６１の出力は制御部ＩＣ２のＶＤＤ２端子に入力される。つまり、制御部ＩＣ２は、ＶＤＤ２端子から制御電源Ｖ１が供給されることで動作する。第２電源部６１は、後述する受信部６２、再生部６３、増幅器６４および音声出力部７０を動作させる電源を生成している。
【００３４】
第２端子部ＣＮ４のｏｕｔｐｕｔ端子は、第１端子部ＣＮ３のｉｎｐｕｔ端子と制御部ＩＣ２のＴＸ２端子を接続する。これにより、制御部ＩＣ１のＲＸ１端子は、制御部ＩＣ２のＴＸ２端子と接続される。第２端子部ＣＮ４のｉｎｐｕｔ端子は、第１端子部ＣＮ３のｏｕｔｐｕｔ端子と制御部ＩＣ２のＲＸ２端子を接続する。これにより、制御部ＩＣ１のＴＸ１端子は、制御部ＩＣ２のＲＸ２端子と接続される。第２端子部ＣＮ４のＧＮＤ端子は、第１端子部ＣＮ３のＧＮＤ端子と制御部ＩＣ２の回路基準電位となるＧＮＤ２端子を接続する。ｉｎｐｕｔ端子とｏｕｔｐｕｔ端子は、第２端子部ＣＮ４の通信端子である。
【００３５】
制御部ＩＣ２は、受信部６２と再生部６３と増幅器６４を備える。受信部６２は、外部から送信された音声データ等の情報を受信する。受信部６２は、情報を例えばＢｌｕｅｔｏｏｔｈ（登録商標）信号等の無線信号として受信する。また、受信部６２は、制御部ＩＣ２または図示しない他の制御ＩＣの記憶部に記憶された情報を、有線または無線で受信しても良い。
【００３６】
受信部６２の出力には再生部６３が接続される。再生部６３は、受信部６２が受信した音声データをオーディオ信号に変換する。オーディオ信号は、音声信号または音響信号とも呼ばれ、音または音を表す信号である。本実施の形態では、オーディオ信号は２つのステレオ信号を含む。これに限らず、オーディオ信号は、後述する音声出力部７０で再生可能な信号であれば良い。
【００３７】
再生部６３の出力には増幅器６４が接続される。増幅器６４は、再生部６３が処理したオーディオ信号を増幅する。増幅器６４の出力は、制御部ＩＣ２のＬ＋端子とＬ−端子およびＲ＋端子とＲ−端子に接続される。２つのステレオ信号の一方はＬ＋端子とＬ−端子から出力され、２つのステレオ信号の他方はＲ＋端子とＲ−端子から出力される。
【００３８】
Ｌ＋端子とＬ−端子およびＲ＋端子とＲ−端子は、端子部ＣＮ５を介して音声出力部７０に接続される。音声出力部７０はオーディオ信号に応じて音声を発する。音声出力部７０は、第１音声出力部３と、第２音声出力部４とを含む。第１音声出力部３と、第２音声出力部４の各々は、圧電素子である。圧電素子は、オーディオ信号に応じて振動する。圧電素子は入力されたオーディオ信号に従って動作し、オーディオ信号に同期して振動する。
【００３９】
圧電素子は、アクチュエータとも呼ばれる。圧電素子は、例えばピエゾフィルムであり、セラミックから形成されても良い。本実施の形態において圧電素子とは、交流電圧を印加すると入力した交流電圧の周波数に従って振動する部品をいう。これに限らず、音声出力部７０として、オーディオ信号を再生可能なあらゆる構成を採用できる。
【００４０】
第１音声出力部３にはＬ＋端子とＬ−端子が接続され、第２音声出力部４にはＲ＋端子とＲ−端子が接続される。つまり、第１音声出力部３には、２つのステレオ信号の一方が入力され、第２音声出力部４には、２つのステレオ信号の他方が入力される。これにより、音声出力部７０からステレオ音声が出力される。
【００４１】
なお、受信部６２が受信した情報に限らず、再生部６３は制御部ＩＣ２が有する記憶部に記憶された情報をオーディオ信号に変換しても良い。この場合、受信部６２は設けられなくても良い。
【００４２】
また、前述したように、制御部ＩＣ１のＴＸ１端子と制御部ＩＣ２のＲＸ２端子は接続される。さらに、制御部ＩＣ１のＲＸ１端子と制御部ＩＣ２のＴＸ２端子は接続される。これにより、制御部ＩＣ１と制御部ＩＣ２は互いに通信できる。つまり、第１ユニット４０は通信端子によって第２ユニット６０と通信する。
【００４３】
第１ユニット４０と第２ユニット６０との通信内容について説明する。例えば、第１ユニット４０からの信号により第２ユニット６０は音声再生を開始または停止しても良い。何かしらの事象によりＬＥＤ光源部８０が消灯したとする。制御部ＩＣ１は、光源８１の消灯を検出すると、ＴＸ１端子からＲＸ２端子に音声再生を停止する指令を送信する。これにより、制御部ＩＣ２は音声再生を停止する。
【００４４】
また、制御部ＩＣ１がＬＥＤ光源部８０の異常を検出したとする。この検出結果を制御部ＩＣ１は制御部ＩＣ２に送信する。制御部ＩＣ２は、制御部ＩＣ１からの信号に応じて、ＬＥＤ光源部８０の異常を音声再生により使用者に報知する。これによれば、使用者は光源８１の異常を知ることができる。光源８１の異常は、例えば、ＬＥＤ光源部８０の未接続、短絡等である。
【００４５】
また、制御部ＩＣ２から制御部ＩＣ１に通信を行っても良い。例えば、第２ユニット６０からの信号により第１ユニット４０は光源８１の明るさを変更しても良い。この場合、受信部６２が受信した音声データに対して、光源８１の明るさを変更する調光信号が重畳されていても良い。制御部ＩＣ２は音声データおよび調光信号を解析し、ＴＸ２端子からＲＸ１端子に調光信号を送信する。この結果、制御部ＩＣ１は、受信した調光信号に従って、光源８１の明るさを変更する。
【００４６】
調光信号が音声データに重畳されていない場合において、制御部ＩＣ２がＬＥＤ光源部８０の明るさを変更しても良い。この場合、制御部ＩＣ２は受信した音声データを解析して、解析結果に基づいてＬＥＤ光源部８０の明るさを変更するように、制御部ＩＣ１に指令を行う。制御部ＩＣ２は、例えば光源８１が受信した音声データに適した明るさとなるように、制御部ＩＣ１に指令を行う。
【００４７】
図２は、実施の形態１に係る照明装置１００の斜視図である。図３は、実施の形態１に係る照明装置１００の断面図である。照明装置１００は、光源８１を覆い、光源８１が発する光を透過させるカバー２をさらに備える。カバー２は例えば、光源８１から発せられた光を拡散させる拡散カバーであっても良く、透明であっても良い。
【００４８】
また、照明装置１００は、搭載板１を備える。搭載板１の上面には、第１ユニット４０と第２ユニット６０が設けられる。また、搭載板１の上面と反対側の面である裏面には複数の光源８１が設けられる。搭載板１の裏面にはＬＥＤ搭載基板８２が設けられる。ＬＥＤ搭載基板８２には複数の光源８１が搭載されている。また、カバー２は、搭載板１に装着されている。なお、図２、３において、第１ユニット４０および第２ユニット６０等に接続される配線は省略されている。
【００４９】
図４は、実施の形態１に係るカバー２の斜視図である。カバー２は平面視で略長方形である。また、カバー２の断面形状は例えばＵ字型である。カバー２は、長手方向の一端に端面２ａを有し、他端に端面２ｂを有する。また、カバー２は端面２ａと端面２ｂとを繋ぎ長手方向に延びる主部２ｃを有する。第１音声出力部３は端面２ａの内側の面に設けられる。第２音声出力部４は端面２ｂの内側の面に設けられる。なお、カバー２の内側の面は、光源８１と対向する面であり、光源８１の発する光が入射する面である。
【００５０】
本実施の形態では、第１音声出力部３はカバー２の長手方向の一端に設けられ、第２音声出力部４はカバー２の長手方向の他端に設けられる。このように、圧電素子をカバー２に装着することで、圧電素子からカバー２に振動が伝わる。この結果、カバー２からオーディオ信号に応じた音声が出力される。
【００５１】
例えば、本実施の形態の照明装置１００を天井に取り付けた場合、照明装置１００が取り付けられた空間に、効率よく音声を広げることができる。また、使用者の上方から音声が出力されることで、使用者に音声が届き易くすることが可能になる。また、照明装置１００と別個に音声再生装置を設置する必要が無く、音声再生装置の設置費用および設置のためのスペースを削減できる。
【００５２】
また、オーディオ信号に応じてカバー２が振動するため、天井面に対して照明装置１００の光の出射方向に音声を出力できる。従って、照明装置１００が取り付けられた空間に、さらに効率よく音声を広げることができる。また、一般に照明装置に使用される部材であるカバー２で音声再生を行えるため、照明装置１００の省部品化が可能になる。
【００５３】
また、ステレオ信号を出力する場合、一般に、Ｌ信号とＲ信号の出力部を一定の距離だけ離して配置することで、適した音声を提供できる。本実施の形態では、第１音声出力部３と第２音声出力部４がカバー２の両端に配置されるため、第１音声出力部３と第２音声出力部４との間の距離を確保できる。第１音声出力部３と第２音声出力部４を一定の距離だけ離して振動させることで、Ｌ信号とＲ信号とが互いに干渉することを抑制できる。これにより、照明装置１００において、Ｌ信号とＲ信号とから構成されるステレオ出力を実現できる。従って、照明装置１００からオーディオ信号に適した音声を出力できる。
【００５４】
また、第１音声出力部３と第２音声出力部４は、カバー２の内側の面に設けられる。このため、音声出力部７０を使用者から見え難くできる。このため、意匠性を損なわずに音声再生機能を付加できる。また、第２ユニット６０は搭載板１に対して光源８１と反対側に設けられる。このため、音声再生機能を付加したことによる照明装置１００の外観の変化を抑制できる。
【００５５】
また、本実施の形態では音声出力部７０はカバー２の両端に設けられる。このため、音声出力部７０を設けるために光源８１等の配置が妨げられることを防止できる。よって、カバー２の内側において光源８１等の配置を調整する必要が生じることを防止でき、容易に音声再生機能を追加できる。また、照明装置１００の構造が複雑になることを防止できる。さらに、音声再生機能を追加したことによる光の照射エリアへの影響を抑制できる。
【００５６】
さらに、本実施の形態に係る照明装置１００では、光源８１を点灯させる第１電源部４１と、音声再生のための第２電源部６１とが別個に設けられる。この構成によれば、第１電源部４１に第２電源部６１を追加することで、容易に光源８１の点灯と音声再生のための電源回路を構成できる。従って、容易に音声再生機能を追加できる。さらに、照明装置１００のために専用の電源回路を準備する必要が無く、第１電源部４１を標準化できる。従って、製造コストを抑制できる。
【００５７】
また、本実施の形態では、光源８１を点灯させる第１ユニット４０と、音声再生のための第２ユニット６０とが別個に設けられる。第１ユニット４０と第２ユニット６０とは、第１端子部ＣＮ３と第２端子部ＣＮ４によって容易に接続または分離できる。このため、第１ユニット４０に第２ユニット６０を追加することで、容易に照明装置１００に音声再生機能を追加できる。
【００５８】
さらに、音声再生機能が不要な場合には、第２ユニット６０および音声出力部７０を取り外すことで、音声再生機能を有さない照明装置１００を容易に構成できる。従って、第１ユニット４０、ＬＥＤ光源部８０、カバー２、搭載板１等の標準化が可能となり、製造コストを抑制できる。
【００５９】
本実施の形態の変形例として、第１電源部４１と第２電源部６１とは分離されていなくても良い。このとき、制御部ＩＣ１と制御部ＩＣ２は、１つの一体化された制御部であっても良い。また、第１ユニット４０と第２ユニット６０とは一体化されていても良い。また、第２ユニット６０は制御電源Ｖ１以外から電力を供給されても良い。例えば、第２ユニット６０は外部電源ＡＣから直接電力を供給されても良い。
【００６０】
また、第１電源部４１として、スイッチング素子のオンオフにより光源８１を点灯させるあらゆる回路を採用できる。第１電源部４１はバックコンバータ回路と昇圧チョッパ回路のどちらか一方を備えても良い。例えば、外部電源ＡＣが直流電源の場合、第１電源部４１は昇圧チョッパ回路を備えなくても良い。また、第２電源部６１として制御部ＩＣ２に電力を供給するあらゆる回路を採用できる。例えば、第２電源部６１は、第１電源部４１以外から電力を供給されても良い。また、第２電源部６１は第２ユニット６０の外部に設けられても良く、制御電源部４２であっても良い。つまり、制御電源Ｖ１の電圧が第２ユニット６０の動作に適した電圧である場合、第２ユニット６０内の第２電源部６１は設けられなくても良い。この場合、制御電源Ｖ１の電圧がＶＤＤ２端子に供給される。
【００６１】
また、第２ユニット６０の構成は図１に示したものに限らない。第２ユニット６０は、少なくとも再生部６３を備え、オーディオ信号を外部に出力すれば良い。また、音声出力部７０は、カバー２の両端以外の部分に設けられても良い。また、カバー２の構造は、図２から図４に示される構造に限らず、カバー２は光源８１を覆えば良い。
【００６２】
図５は、実施の形態１の第１の変形例に係るカバー２の斜視図である。第１の変形例では、第１音声出力部３と第２音声出力部４は、カバー２の内側において、主部２ｃの長手方向の両端にそれぞれ設けられる。第１音声出力部３と第２音声出力部４は下方向を向くように、主部２ｃの底部に設けられる。第１の変形例においても、実施の形態１と同様の効果を得ることができる。
【００６３】
図６は、実施の形態１の第２の変形例に係る照明装置２００の断面図である。照明装置２００では、音声出力部２７０は２つのスピーカー８を備える。２つのスピーカー８の一方はカバー２の長手方向の一端に設けられ、２つのスピーカー８の他方はカバー２の長手方向の他端に設けられる。各々のスピーカー８はスピーカーケース７に収納されている。スピーカーケース７は例えば樹脂材料で形成される。スピーカー８は、密閉されたスピーカーケース７に収納された状態で、搭載板１に装着されている。
【００６４】
圧電素子の代わりにカバー２の両端にスピーカーを設けても、実施の形態１と同様の音響効果を得られることが分かった。つまり、照明装置２００の前面側、すなわち使用者側に音声が出力されるため、効率よく音声を広げることができる。
【００６５】
図７は、実施の形態１の第３の変形例に係る照明装置３００の斜視図である。照明装置３００は略正方形である。照明装置３００において略正方形の搭載板３０１の上面には、第１ユニット４０と第２ユニット６０が搭載されている。搭載板３０１の裏面には図示しない光源８１が搭載されている。
【００６６】
さらに、搭載板３０１には、光源８１を覆うようにカバー３０２が装着される。カバー３０２は略正方形である。カバー３０２の内側の面には圧電素子である音声出力部３７０が設けられる。図７において、音声出力部３７０の位置が便宜上、破線で示されている。このように、カバー３０２の形状は正方形等でも良い。また、カバー３０２に圧電素子を１つのみ装着してもよい。
【００６７】
また、本実施の形態の別の変形例として、圧電素子を可聴領域以外で振動させても良い。これにより、カバー２への埃の付着を抑制したり、虫などが寄って来るのを抑制したりできる。
【００６８】
これらの変形は以下の実施の形態に係る照明装置について適宜応用することができる。なお、以下の実施の形態に係る照明装置については実施の形態１との共通点が多いので、実施の形態１との相違点を中心に説明する。
【００６９】
実施の形態２．
図８は、実施の形態２に係る照明装置４００の断面図である。図９は、実施の形態２に係るカバー２の斜視図である。図１０は、実施の形態２に係るカバー２の平面図である。第１音声出力部３はカバー２の長手方向の一端に設けられ、第２音声出力部４はカバー２の長手方向の他端に設けられる。第１音声出力部３、第２音声出力部４は、カバー２の内側に設けられるため、実際は照明装置４００の外側からは目視できない。図８、９において便宜上、第１音声出力部３、第２音声出力部４の位置が示されている。
【００７０】
第１音声出力部３、第２音声出力部４は、平面視においてカバー２の対角の位置に設けられる。つまり、カバー２の短手方向の両側の側面２ｄのうち、第１音声出力部３は一方に設けられ、第２音声出力部４は他方に設けられる。側面２ｄは主部２ｃの一部であり、例えば水平方向を向く。第１音声出力部３、第２音声出力部４は、カバー２の短手方向において互いに反対側を向く。
【００７１】
このような第１音声出力部３、第２音声出力部４の配置により、第１音声出力部３、第２音声出力部４の振動が互いに干渉することを抑制できる。さらに、照明装置４００の側方に音声を拡散させることができる。
【００７２】
なお、各実施の形態で説明した技術的特徴は適宜に組み合わせて用いてもよい。
【符号の説明】
【００７３】
ＡＣ  外部電源、ＣＮ１、ＣＮ２、ＣＮ５  端子部、ＣＮ３  第１端子部、ＣＮ４  第２端子部、ＤＢ  整流器、Ｄ１、Ｄ２  ダイオード、ＩＣ１、ＩＣ２  制御部、Ｌ１、Ｌ２  コイル、Ｃ１、Ｃ２、Ｃ３  コンデンサ、Ｑ１、Ｑ２  スイッチング素子、Ｒ２、Ｒ３、Ｒ４  抵抗、１、３０１  搭載板、２、３０２  カバー、２ａ、２ｂ  端面、２ｃ  主部、２ｄ  側面、３  第１音声出力部、４  第２音声出力部、７  スピーカーケース、８  スピーカー、４０  第１ユニット、４１  第１電源部、４２  制御電源部、４３  降圧回路部、４４  ＭＯＳＦＥＴドライバー、６０  第２ユニット、６１  第２電源部、６２受信部、６３  再生部、６４  増幅器、７０、３７０  音声出力部、８０  ＬＥＤ光源部、８１  光源、８２  ＬＥＤ搭載基板、１００、２００、３００、４００  照明装置
【図１】
2019140084.tif 000003
【図２】
2019140084.tif 000004
【図３】
2019140084.tif 000005
【図４】
2019140084.tif 000006
【図５】
2019140084.tif 000007
【図６】
2019140084.tif 000008
【図７】
2019140084.tif 000009
【図８】
2019140084.tif 000010
【図９】
2019140084.tif 000011
【図１０】
2019140084.tif 000012